(57)【要約】【課題】使用者が使用に際してループサイズを自由に変更でき、また、１本で使用できることはもちろん、所望数整然と並列させて使用することもでき、特に、磁気チェーンについて適用するのに好適なループ状身飾品を提供することを課題とする。【解決手段】首又は手首に巻装して用いるループ状身飾品であって、チェーン１とその一端に着脱可能に取り付けられるクランプ金具１１とで構成され、クランプ金具１１はチェーン１の他端側の任意の位置をクランプ可能であり、クランプ金具１１によってチェーン１の他端側の所望の位置をクランプさせることにより、所望のサイズのループを形成可能にした。【選択図】図１
2018057577.tif 000002
【特許請求の範囲】
【請求項１】
首又は手首に巻装して用いるループ状身飾品であって、前記ループ状身飾品は、チェーンとその一端に着脱可能に取り付けられるクランプ金具とで構成され、前記クランプ金具は前記チェーンの他端側の任意の位置をクランプ可能であり、前記クランプ金具によって前記チェーンの他端側の所望の位置をクランプさせることにより、所望のサイズのループを形成可能にしたことを特徴とするループ状身飾品。
【請求項２】
前記クランプ金具は、前記チェーンの一端に設置される連結手段に対応する連結手段を１又は複数備えている、請求項１に記載のループ状身飾品。
【請求項３】
前記クランプ金具が備える連結手段は、周面に係止溝が刻設された円柱状のオス部材であり、前記チェーンが備える連結手段は、前記オス部材が装入される円筒状のメス部材であり、前記メス部材は、内奥部にスプリングが配備されると共に、内周面に前記係止溝に係合する突起が突設されている、請求項２に記載のループ状身飾品。
【請求項４】
前記メス部材は、前記クランプ金具に対して枢動可能にされる、請求項３に記載のループ状身飾品。
【請求項５】
前記チェーンが複数用いられる場合において、並列状態の前記複数のチェーンに跨るように配備されて前記複数のチェーンの並列状態を保持するクリップを含む、請求項１乃至４のいずれかに記載のループ状身飾品。
【請求項６】
前記チェーンは磁気チェーンである、請求項１乃至５のいずれかに記載のループ状身飾品。
【発明の詳細な説明】
【技術分野】
【０００１】
本発明は、ループ状身飾品に関するものであり、より詳細には、ネックレス、ブレスレット等のアクセサリーとして、あるいは、磁気ネックレス等の磁気治療用製品として首又は手首に装着して用いるループ状身飾品に関するものである。
【背景技術】
【０００２】
上記ループ状身飾品としては、ネックレスやブレスレットがあるが、その多くはサイズが決まっていて、利用者がループサイズを装着の都度任意に変更し得る構成とはなっていない。なお、全体的に伸縮性を持たせてループサイズの変更を可能にしたものがあるが、それは、装着に際してループサイズを広げることを可能にするに過ぎないものであり、装着操作後は元のサイズに縮まってしまう。
【０００３】
また、従来のネックレスやブレスレット等でチェーンを多重にしたものがあるが、それらはあくまでその多重状態のまま使用するものであって、時には１本で、時には複数本束ねて使用するような使用形態にはなっていない。
【先行技術文献】
【特許文献】
【０００４】
【特許文献１】特開２００８−３６３８８号公報
【特許文献２】特開平７−１１６００７号公報
【特許文献３】実用新案登録第３１２０３８２号公報
【発明の概要】
【発明が解決しようとする課題】
【０００５】
上述したように、一般のネックレスやブレスレットの多くはループサイズが決まっていて、利用者が装着の都度ループサイズを任意に変更し得るものではなく、また、それらは使用態様が決まっていて、時には１本で、時には複数本束ねて使用するといった使用態様は想定されていない。そこで本発明は、使用者が使用に際してループサイズを自由に変更でき、また、１本で使用できることはもちろん、所望数整然と並列させて使用することもでき、特に、磁気チェーンについて適用するのに好適なループ状身飾品を提供することを課題とする。
【課題を解決するための手段】
【０００６】
上記課題を解決するための請求項１に記載の発明は、首又は手首に巻装して用いるループ状身飾品であって、前記ループ状身飾品は、チェーンとその一端に着脱可能に取り付けられるクランプ金具とで構成され、前記クランプ金具は前記チェーンの他端側の任意の位置をクランプ可能であり、前記クランプ金具によって前記チェーンの他端側の所望の位置をクランプさせることにより、所望のサイズのループを形成可能にしたことを特徴とするループ状身飾品である。
【０００７】
一実施形態においては、前記クランプ金具は、前記チェーンの一端に設置される連結手段に対応する連結手段を１又は複数備える。その場合、前記クランプ金具が備える連結手段は、周面に係止溝が刻設された円柱状のオス部材であり、前記チェーンが備える連結手段は、前記オス部材が装入される円筒状のメス部材であり、前記メス部材は、内奥部にスプリングが配備されると共に、内周面に前記係止溝に係合する突起が突設される。好ましくは、前記メス部材は、前記クランプ金具に対して枢動可能にされる。
【０００８】
一実施形態においては、前記チェーンが複数用いられる場合において、並列状態の前記複数のチェーンに跨るように配備されて前記複数のチェーンの並列状態を保持するクリップを含む。好ましくは、前記チェーンは磁気チェーンである、
【発明の効果】
【０００９】
本発明に係るループ状身飾品は、チェーンとその一端に着脱可能に取り付けられるクランプ金具とで構成され、クランプ金具は１又は複数のチェーンをクランプ可能であるので、クランプ金具で１又は複数のチェーンの他端側の任意の位置をクランプさせることによって任意のサイズのループの形成が可能であり、以て、使用者が使用に際してループサイズを自由に変更できるという効果がある。
【００１０】
また、クランプ金具を選択することにより、１本のチェーンのみならず、所望数（通例、２〜５本）のチェーンを整然と並列させて使用することが可能で、時と好みに合わせて本数を選択して使い分けできるという効果がある。更に、クリップを用いることにより、特にチェーンが磁気チェーンであって複数本用いる場合に、チェーン同士が磁着し合ってよじれ、体裁が悪くなるおそれが無いという効果がある。
【図面の簡単な説明】
【００１１】
【図１】本発明に係るループ状身飾品の一実施形態の構成を示す斜視図である。
【図２】図１に示す実施形態におけるクランプ金具の正面図（開時）及び中央端面図（閉時）である。
【図３】本発明に係るループ状身飾品の他の実施形態の構成を示す斜視図である。
【図４】本発明に係るループ状身飾品における連結手段の構成（分離時及び連結時）を示す斜視図である。
【図５】本発明に係るループ状身飾品の更に他の実施形態の構成を示す斜視図である。
【図６】本発明に係るループ状身飾品の使用状態を示す正面図である。
【発明を実施するための形態】
【００１２】
本発明に係るループ状身飾品は、ネックレスやブレスレット等のアクセサリーとして、あるいは、磁気ネックレス等の磁気治療用製品として、首又は手首に装着して用いるものである。以下、本発明を実施するための種々の形態につき、添付図面を参照しつつ説明する。
【００１３】
本発明に係るループ状身飾品は、チェーン１とその一端に着脱可能に取り付けられるクランプ金具１１とで構成される。クランプ金具１１は開閉動作して１又は複数のチェーン１の任意の位置をクランプ可能な構成とされ、クランプ金具１１で１又は複数のチェーン１の他端側の所望の位置をクランプさせることにより、所望のサイズのループ形成が可能となる。
【００１４】
本発明において用いられるチェーン１は、紐状芯線２に適宜間隔置きにカプセル３を配置したもので、カプセル３を芯線２に固定したものと、カプセル３に芯線２を挿通して芯線２に対して移動可能にしたものとが含まれる。そのいずれの場合においても、各カプセル３間に若干の間隙４が確保されるように構成される。磁気治療用用途の場合は、カプセル３として永久磁石を内蔵した磁気カプセルが用いられる。
【００１５】
クランプ金具１１としては、１本のチェーン１をクランプするシングルタイプのもの（図１、２参照）と、複数のチェーン１を並列させてクランプするマルチタイプのもの（図３、６参照）とが用意される。そのいずれのタイプのクランプ金具１１も、基本的構成として、ヒンジ１２を介して連結される下側ピース１３と上側ピース１４とを含み、下側ピース１３のヒンジ１２側と反対側部分に、チェーン１の一端部を着脱可能に取り付けるための連結手段が設置される。シングルタイプの場合の連結手段は１つであり、マルチタイプの場合の連結手段は複数となる。
【００１６】
図１に示されるクランプ金具１１はシングルタイプであり、下側ピース１３と上側ピース１４はそれぞれ断面が半円形で、両者が合わさって１本のチェーン１を抱持し得る大きさに形成される。下側ピース１３と上側ピース１４の各内面中央部に、下側ピース１３と上側ピース１４を閉じた際にチェーン１のカプセル３間の間隙４内に入り込むことによって、チェーン１のずれ動き（抜け）を抑止する機能を果たす突条１５、１６が形成される。この実施形態の場合の突条１５、１６は円弧状であって、合わさってＣの字形状を呈するものとされている（図２参照）。
【００１７】
図示した例におけるチェーン１が備える連結手段は、両側の周面にしの字型の係止溝２２が形成された円柱状のオス部材２１であり、これに対応するクランプ金具１１が備える連結手段は、このオス部材２１を嵌装する円筒状のメス部材２３である（図４参照）。メス部材２３の内周面には係止溝２２に係合する係止突起２４が突設され、また、その内奥部にスプリング２５が配装される。好ましくは、オス部材２１とメス部材２３のそれぞれに、回転操作時の滑り止めとなる滑り止め環２１ａ、２３ａが配備される。
【００１８】
クランプ金具１１側のメス部材２３は、好ましくは、それに一体化される枢支ブロック２６を介し、クランプ金具１１に枢動可能に設置される。枢支ブロック２６は、横方向に抜ける空間部２７を有し、その空間部２７を横切るように枢軸２８が配設される（図２参照）。そして、クランプ金具１１の下側ピース１３のヒンジ１２とは反対側部分に設置される連結板２９の一半部に枢軸２８が挿通されることで、枢支ブロック２６に固定されているメス部材２３が、枢支ブロック２６と一体となってクランプ金具１１に対して枢動可能となる。
【００１９】
かかる構成のオス部材２１とメス部材２３を結合する場合、オス部材２１を、その係止溝２２をメス部材２３の係止突起２４に合わせ、係止突起２４が係止溝２２に係合して摺動するようにしてメス部材２３内に進入させていく（図４（Ａ）参照）。そして、係止突起２４が係止溝２２の長さ方向奥端に達したところでオス部材２１とメス部材２３を相対回転させることにより、係止突起２４を更に係止溝２２に沿って横方向端部にまで移動させる。
【００２０】
そこにおいてメス部材２３から手を離すと、メス部材２３内部に配装されているスプリング２５の作用で、メス部材２３がオス部材２１から離れる方向に付勢される結果、係止突起２４が係止溝２２の最奥端に達し、その後メス部材２３をオス部材２１方向に押し込み、且つ、回転させる力が加わらない限り、係止突起２４が係止溝２２から抜け出ることはない。即ち、メス部材２３がオス部材２１にロックされ、分離することはない。以下に述べる他の実施形態におけるクランプ金具１１とチェーン１の連結・分離、並びに、チェーン１端部に対する飾り３２の連結・分離も、これと同じ方法により行われる。なお、飾り３２は、クランプ金具１１におけると同じ構成のメス部材２３を備えていて、適宜付け替え可能なものである。
【００２１】
下側ピース１３と上側ピース１４は、ヒンジ１２を介して連結されていて開閉可能であり、閉時にチェーン１の任意の位置を挟持し、開時にチェーン１を解放する。その閉時において閉状態が保持されるようにするために、閉時において上側ピース１４の端部が連結板２９に押接状態となるように設計される。即ち、上側ピース１４は、完全に閉じる前にその下部が連結板２９に当たるように設計されていて、更に強く押し込むことにより完全に閉じ、以後連結板２９によってその状態を維持される。逆に、上側ピース１４を開くときは、連結板２９による押止力に抗して強く引き上げる。この下側ピース１３に対する上側ピース１４の開閉動作を容易にするために、上側ピース１４に摘み３０が設けられる。
【００２２】
図３に示されるクランプ金具１１は、チェーン１を３本使用するマルチタイプのものであり、その場合の下側ピース１３と上側ピース１４は、チェーン１を３本横並びに抱持し得る横長のものとされる。この場合の突条１５、１６は、３つの凹部を有するものとされ、各凹部にチェーン１が１本づつ収まる。また、連結板２９に上記実施形態におけると同様の構成の連結手段が３つ横並びに配設される。それ以外の構成及び作用は、上記実施形態の場合に準ずる。
【００２３】
同じくマルチタイプでチェーン１を２本使用するクランプ金具１１の場合は、上記チェーン１を３本使用するものよりも短幅のものとなり、突条１５、１６は、２つの凹部を有するものとされる。また、チェーン１を４本又は５本（あるいはそれ以上）使用するクランプ金具１１の場合は、上記チェーン１を３本使用するものよりも横長となり、突条１５、１６は、用いられるチェーン１の数分の凹部を有するものとされる。
【００２４】
マルチタイプのクランプ金具１１を用いる場合、各メス部材２３にチェーン１の先端のオス部材２１を連結するが、メス部材２３は互いに接触し合っているため、そのままでは連結操作がしにくい。そこで、その連結操作に際し、メス部材２３を適宜枢動させて各メス部材２３を離隔させることとする。
【００２５】
以上いずれの実施形態の場合においても、ループ状身飾品を装着するに当たっては、クランプ金具１１を開いた状態でチェーン１を首（又は手首）に回し、所望のループ径を得るために、チェーン１の所望個所をクランプ金具１１の下側ピース１３上に載せる（図１，３の状態）。その際、下側ピース１３の突条１５がチェーン１のカプセル３間の間隙４内に入り込むようにする。次いで、上側ピース１４を閉じると、上側ピース１４の突条１６がチェーン１のカプセル３間の隙間４内に入り込む。かくしてチェーン１は、確固とクランプされてそのずれ動き（抜け）が抑止されてそのループ径が保持され、安定した状態での着用が可能となる（図６参照）。
【００２６】
マルチタイプのクランプ金具１１は、主にチェーン１として磁気チェーンを用いる場合を考慮したものである。即ち、磁気チェーンの場合は互いに磁着し合うので、横並びにまとめやすいという利点がある反面、捩れて体裁が悪くなるという問題がある。そこで、複数のチェーン１を整然と横並びに保持するために、クリップ３０を用いることが推奨される。クリップ３０は、先端が開いていて若干の弾性を有するとげ抜き器のごとき形状のもので、先端の隙間が芯線２の径よりも若干狭くなるように設定されている（図５参照）。
【００２７】
このクリップ３１は、カプセル３間の間隙４に横方向から押し込まれ、並置されたすべてのチェーン１の芯線２に跨るように設置される（図５参照）。かくして複数本のチェーン１の並列状態が保持され、各チェーン１が磁力でもつれ合い、装着時に体裁が悪くなることが確実に防止される。
【００２８】
本発明に係るループ状身飾品は上記のとおりであり、クランプ金具１１で１又は複数のチェーン１の他端側の任意の位置をクランプさせることにより任意のサイズのループの形成が可能であるので、使用者が使用に際してループサイズを自由に変更することができる。また、クランプ金具１１を選択することにより、１本のチェーン１のみならず、複数本（通例、２〜５本）のチェーンを整然と並列させて使用することが可能であるので、時と好みに合わせて使い分けできるという特徴がある。
【００２９】
更に、チェーン１を複数本用いる場合において、横並びにしたチェーン１にクリップ３１を渡すことにより、チェーン１がバラけることを防止することができ、また、チェーン１が磁気チェーンの場合、着用時にチェーン１同士が磁着し合ってよじれ、体裁が悪くなることが確実に防止されるという利点がある。
【符号の説明】
【００３０】
１    チェーン
２    芯線
３    カプセル
４    間隙
１１    クランプ金具
１２    ヒンジ
１３    下側ピース
１４    上側ピース
１５、１６    突条
２１    オス部材
２２    係止溝
２３    メス部材
２４    係止突起
２５    スプリング
２６    枢支ブロック
２７    空間部
２８    枢軸
２９    連結板
３０    摘み
３１    クリップ
３２    飾り
【図１】
2018057577.tif 000003
【図２】
2018057577.tif 000004
【図３】
2018057577.tif 000005
【図４】
2018057577.tif 000006
【図５】
2018057577.tif 000007
【図６】
2018057577.tif 000008